(57)【要約】【課題】  着信だけでなく、他の多くの情報をユーザに提供でき、より優しく且つ分かり易いユーザインターフェイスを実現すると共に、端末の使用状態に応じた着信通知をも実現する。【解決手段】  上部筐体１と下部筐体２の間の回転ヒンジ機構はモータ等により回転軸回り方向へ駆動可能となされている。そして、例えば電話着信、電子メール着信などの着信があったとき、その着信の種別等に応じて、回転ヒンジ機構の回転角度を変更することで、着信の種別をユーザに通知する。【選択図】  図２
2005210516.tif 000002
【特許請求の範囲】
【請求項１】
第１の筐体と第２の筐体とを連結し且つ第１の筐体と第２の筐体の相対的な配置状態を変更可能な連結部を備えた携帯通信端末において、
ユーザへ通知する情報を取得する情報取得手段と、
上記情報取得手段にて取得されたユーザへの通知情報に基づいて、上記第１の筐体と第２の筐体の相対的な配置状態を設定する配置設定手段と、
上記第１の筐体と第２の筐体の相対的な配置を変更させるために上記連結部を駆動する連結部駆動手段と、
上記第１の筐体と第２の筐体の相対的な配置状態が、上記配置設定手段にて設定された配置状態となるように上記連結部駆動手段を制御して上記連結部を駆動させる駆動制御手段とを有することを特徴とする携帯通信端末。
【請求項２】
請求項１記載の携帯通信端末であって、
上記連結部は、第１の筐体と第２の筐体を回転軸回り方向へ回動可能に連結した回転ヒンジ手段を有し、当該回転ヒンジ手段が回転軸回り方向へ回動することで上記第１の筐体と第２の筐体の相対的な配置状態を変更し、
上記連結部駆動手段は、上記回転ヒンジ手段を回転軸回り方向へ回転駆動させる回転駆動手段を有し、
上記配置設定手段は、上記第１の筐体と第２の筐体との間の相対的な回転角度を、上記配置状態として設定し、
上記駆動制御手段は、上記配置設定手段にて設定された回転角度に応じて、上記回転駆動手段の回転角度を制御することを特徴とする携帯通信端末。
【請求項３】
請求項１記載の携帯通信端末であって、
上記情報取得手段は、当該端末への着信の種別を判定し、その種別情報を上記ユーザへの通知情報として取得し、
上記配置設定手段は、上記情報取得手段にて取得された上記着信種別情報に応じて、上記第１の筐体と第２の筐体の相対的な配置状態を設定することを特徴とする携帯通信端末。
【請求項４】
請求項１記載の携帯通信端末であって、
上記情報取得手段は、当該端末への着信の優先度を判定し、その優先度情報を上記ユーザへの通知情報として取得し、
上記配置設定手段は、上記情報取得手段にて取得された上記優先度情報に応じて、上記第１の筐体と第２の筐体の相対的な配置状態を設定することを特徴とする携帯通信端末。
【請求項５】
請求項１記載の携帯通信端末であって、
当該端末の空間的な動きを検知する検知手段を有し、
上記配置設定手段は、上記検知手段による動きの検知情報に応じて、上記ユーザへの通知情報に基づく上記第１の筐体と第２の筐体の相対的な配置状態の設定を行うか否か決定することを特徴とする携帯通信端末。
【請求項６】
請求項１記載の携帯通信端末であって、
当該端末の周囲の明るさを検知する検知手段を有し、
上記配置設定手段は、上記検知手段による明るさの検知情報に応じて、上記ユーザへの通知情報に基づく上記第１の筐体と第２の筐体の相対的な配置状態の設定を行うか否か決定することを特徴とする携帯通信端末。
【請求項７】
請求項１記載の携帯通信端末であって、
当該端末の周囲の温度を検知する検知手段を有し、
上記配置設定手段は、上記検知手段による温度の検知情報に応じて、上記ユーザへの通知情報に基づく上記第１の筐体と第２の筐体の相対的な配置状態の設定を行うか否か決定することを特徴とする携帯通信端末。
【請求項８】
請求項１記載の携帯通信端末であって、
当該端末の周囲の湿度を検知する検知手段を有し、
上記配置設定手段は、上記検知手段による湿度の検知情報に応じて、上記ユーザへの通知情報に基づく上記第１の筐体と第２の筐体の相対的な配置状態の設定を行うか否か決定することを特徴とする携帯通信端末。
【請求項９】
請求項１記載の携帯通信端末であって、
ユーザのスケジュール情報を記憶するスケジュール記憶手段を有し、
上記配置設定手段は、上記スケジュール記憶手段に記憶されているユーザのスケジュール情報に基づいて、上記第１の筐体と第２の筐体の相対的な配置状態を設定することを特徴とする携帯通信端末。
【請求項１０】
請求項１記載の携帯通信端末であって、
音を出力する音出力手段と、
上記音出力手段が出力する音量を設定する音量設定手段とを有し、
上記配置設定手段は、上記音量設定手段にて設定されている音量の情報に基づいて、上記第１の筐体と第２の筐体の相対的な配置状態を設定することを特徴とする携帯通信端末。
【請求項１１】
請求項１記載の携帯通信端末であって、
電力を供給するバッテリと、
当該バッテリの容量を検知する検知手段とを有し、
上記配置設定手段は、上記検知手段によるバッテリの容量の検知情報に基づいて、上記第１の筐体と第２の筐体の相対的な配置状態を設定することを特徴とする携帯通信端末。
【発明の詳細な説明】
【技術分野】
【０００１】
本発明は、例えば携帯電話機や通信機能を備えたＰＤＡ（Personal Digital Assistant）等に好適な携帯通信端末に関する。
【背景技術】
【０００２】
従来より、携帯電話機のように通信機能を備えた携帯通信端末において、例えば電話の着呼や電子メールの着信（以下、これらをまとめて着信と呼ぶことにする）が有った場合、一般に、スピーカからの音の出力やバイブレータの振動、ＬＥＤ（発光ダイオード）の発光などにより、当該着信をユーザに通知することが行われている。
【０００３】
また、携帯通信端末への着信をユーザに通知するための他の手法として、特開２００２−２８１１１６の公開特許公報（特許文献１）や特開２００３−３１９０１９の公開特許公報（特許文献２）には、折り畳み型の携帯電話機の折り畳みヒンジ部分にモータを設け、携帯電話機が折り畳まれている時に着信があった場合、上記モータを駆動して電話機が完全に開いた状態となるように制御することにより、音やバイブレータの振動によらずに着信があったことをユーザへ通知可能とした手法が開示されている。
【０００４】
【特許文献１】特開２００２−２８１１１６公報（第１図）
【特許文献２】特開２００３−３１９０１９公報（第１図）
【発明の開示】
【発明が解決しようとする課題】
【０００５】
上述した従来の着信通知のための手法のうち、スピーカから音を出力する手法の場合、着信と同時に騒々しい音が鳴り響くことになり、例えば会議中や電車に乗っている際には他の人に迷惑をかけることになってしまう。また、バイブレータを振動させる手法の場合、例えば携帯通信端末を机の上に置いていたとすると、バイブレータの振動により端末が机の上で激しく振動するため、騒々しく耳障りな音が鳴り響くことになる。一方、ＬＥＤ等を発光させる手法の場合、上述のような音が鳴り響くことはないが、目立つ明るい光が点滅することになり、視覚的にインパクトが有り過ぎて、非常に目障りである。
【０００６】
これに対して、上述した特許文献１，２のように折り畳み型の携帯電話機を着信と同時に自動的に開かせる手法の場合は、騒々しい音も鳴らず、目障りな光も発しないため、着信をユーザへ知らせる際の手法として効果的であると考えられる。しかしながら、これら特許文献１，２に記載されている手法の場合、携帯電話機が自動的に開いたことによりユーザが知り得る情報は、当該携帯電話機へ着信があったことのみである。このようなことから、単に着信があったことのみをユーザに通知するだけでなく、その他の多くの情報をユーザに提供でき、より優しく且つ分かり易いユーザインターフェイスを実現可能な携帯通信端末の登場が望まれている。
【０００７】
また、特許文献１，２に記載されている手法の場合、着信と同時に携帯電話機が自動的に開いてしまうため、例えば、携帯電話機をポケットに入れていたり、鞄に入れていたりした場合には、折り畳みヒンジ部分に大きな圧力がかかり、最悪の場合破損してしまう虞がある。また例えば会議中などにおいて、携帯電話機が机等に置かれた状態で着信が有ると、当該携帯電話機が自動的に開いてしまうため、やはり他の人にとって目障りになる虞がある。このようなことから、携帯通信端末がポケットや鞄に入れられている場合や、会議中に机の上の置かれている場合のような、その端末の使用状態に適応した着信通知を実現可能な携帯通信端末の登場が望まれている。
【０００８】
本発明は、このような実情に鑑みて提案されたものであり、着信の有無だけでなく、その他の多くの情報をユーザに提供でき、より優しく且つ分かり易いユーザインターフェイスを実現でき、また、携帯通信端末の使用状態に応じた着信通知を実現可能な、携帯通信端末を提供することを目的とする。
【課題を解決するための手段】
【０００９】
本発明の携帯通信端末は、第１の筐体と第２の筐体とを連結し且つ第１の筐体と第２の筐体の相対的な配置状態を変更可能な連結部を備えた携帯通信端末であり、ユーザへ通知する情報を取得する情報取得手段と、情報取得手段にて取得されたユーザへの通知情報に基づいて第１の筐体と第２の筐体の相対的な配置状態を設定する配置設定手段と、第１の筐体と第２の筐体の相対的な配置を変更させるために連結部を駆動する連結部駆動手段と、第１の筐体と第２の筐体の相対的な配置状態が配置設定手段にて設定された配置状態となるように連結部駆動手段を制御して連結部を駆動させる駆動制御手段とを有することにより、上述した課題を解決する。
【００１０】
ここで、連結部は、例えば、第１の筐体と第２の筐体を回転軸回り方向へ回動可能に連結した回転ヒンジ手段を有し、当該回転ヒンジ手段が回転軸回り方向へ回動することで第１の筐体と第２の筐体の相対的な配置状態を変更し、連結部駆動手段は、回転ヒンジ手段を回転軸回り方向へ回転駆動させる回転駆動手段を有し、配置設定手段は、第１の筐体と第２の筐体との間の相対的な回転角度を配置状態として設定し、駆動制御手段は、配置設定手段にて設定された回転角度に応じて回転駆動手段の回転角度を制御する。
【００１１】
すなわち本発明によれば、ユーザに対する通知の内容を、第１の筐体と第２の筐体の相対的な配置状態にて表現可能としている。
【発明の効果】
【００１２】
本発明においては、第１の筐体と第２の筐体の相対的な配置状態により、ユーザへの通知の内容を表現しているため、着信の有無だけでなく、その他の多くの情報をユーザに提供でき、より優しく且つ分かり易いユーザインターフェイスを実現でき、また、携帯通信端末の使用状態に応じた着信通知を実現可能となる。
【発明を実施するための最良の形態】
【００１３】
以下、図面を参照しながら、本発明の携帯通信端末の実施の形態について説明する。ここでは、本発明の携帯通信端末の一実施の形態として携帯電話端末を挙げて説明する。
【００１４】
〔携帯電話端末の外観構成〕
図１〜図３は、本発明実施形態の携帯電話端末の外観を示す。
【００１５】
本実施形態の携帯電話端末は、ディスプレイ３を備えた上部筐体１と、当該上部筐体１の下側に配され且つ上記ディスプレイ３の表示面と同一方向の表面上にテンキー等を備えた下部筐体２とが、それぞれ筐体一端部に設けられた図示しない回転ヒンジ機構を中心として互いに水平方向に回動自在となされた回転オープン型の携帯電話端末である。図１は、本実施形態の携帯電話端末を開いた状態（以後、開状態と呼ぶ）を示し、図２は回転ヒンジ機構を中心として上部筐体１と下部筐体２を略々９０度回転（図１の開状態に対して略々９０度回転）させたときの状態を示し、図３は携帯電話端末を閉じた状態（以後、閉状態と呼ぶ）を示している。
【００１６】
上部筐体１には、ディスプレイ３の他、スピーカ４、電子メールの作成，送受信，メール機能の各種設定等に使用されるメール機能キー、発信や着信の際に使用される通話キー６、通話の終了や実行中のアプリケーションの終了，電源のオン／オフ等に用いられる終了キー７、入力した情報をクリア（削除）する際に用いられるクリアキー、ディスク型ジョグダイヤル５、文字入力における文字種変換等に用いられる切替キーなどの各種操作子が設けられている。なお、これら上部筐体１に設けられるディスプレイ３や各キー、ディスク型ジョグダイヤル５等は、図３のように本実施形態の携帯電話端末が閉状態になされたときでも常に外側となる一表面部（一方の主面部、以後、この筐体表面部を特にディスプレイ設置面と呼ぶ）上に配置されている。
【００１７】
ディスプレイ３は、電話番号表示や待ち受け画像の表示，電子メールの文章表示，音楽再生時の画面表示等を行うための液晶ディスプレイパネルやＥＬ（electroluminescence ）ディスプレイパネルからなる。スピーカ４は、通話音声等を出力するために設けられている。なお、着信音や音楽再生用のスピーカは別途内蔵されている。上記ディスプレイ３は、当該上部筐体１のディスプレイ設置面上に設けられているため、本実施形態の携帯電話端末が閉状態になされたときでも、ユーザは当該ディスプレイ３上の表示を見ることができる。
【００１８】
ディスク型ジョグダイヤル５は、回転ダイヤル（回転操作子）と十字キー（方向指示操作子）とプッシュボタン（押下操作子）とが一体化された操作デバイスである。回転ダイヤルは、当該ディスク型ジョグダイヤル５の最外周部に設けられ、上部筐体１のディスプレイ設置面に対して略々垂直となされている回転軸を中心にして回動自在に構成されていると共に、内部にホール素子（図示は省略）などの回転検出機構を備えている。本実施形態の携帯電話端末は、当該回転検出機構からの回転検出信号（例えばホール素子から出力されたパルス信号）により、ユーザが当該回転ダイヤルを何れの方向にどの程度回転させたのかを検出可能となされている。十字キーは、上記回転ダイヤルの内周側に環形状にて形成されると共に、その内部に、例えば弾性変形可能な傾倒部材（図示は省略）と、ユーザによる少なくとも上，下，左，右方向への傾倒操作を検出可能な四つのスイッチ等からなる傾倒方向検出機構（図示は省略）とを有して構成されている。プッシュボタンは、当該ディスク型ジョグダイヤル５の中心部に設けられており、上部筐体１のディスプレイ設置面に対して略々垂直方向への押下操作を検出する押下スイッチ機構を備えて構成されている。このディスク型ジョグダイヤル５は、当該外部筐体１のディスプレイ設置面上に設けられているため、本実施形態の携帯電話端末が閉状態になされたときでも、ユーザは上記回転ダイヤル、十字キー、プッシュボタンをそれぞれ操作可能である。
【００１９】
下部筐体２には、電話番号等の入力に使用される「０」キー〜「９」キーのテンキーと「＊」キー及び「＃」キーとからなる１２キー９の他、マイクロホン１０、例えば着信時に着信音を出さないようにする際に操作されるマナーキー、例えば音声を録音する際などに操作されるメモキー、アンテナ格納部１１などが設けられている。これら下部筐体２に設けられる各キーは、本実施形態の携帯電話端末が閉状態になされたときには上部筐体１により覆われてしまう一表面部（一方の主面部、以後、この筐体表面部を特にテンキー設置面と呼ぶ）上に配置されている。
【００２０】
マイクロホン１０は、通話音を電気信号に変換するものであり、本実施形態の携帯電話端末では回転ヒンジ機構近傍に設けられている。なお、本実施形態において、マイクロホン１０を回転ヒンジ機構の近傍に設けているのは、当該携帯電話端末が閉状態の時に、マイクロホン１０とスピーカ４の配置が重なってしまわないようにすることで、当該閉状態と開状態のいずれの状態であっても通話ができるようにするためである。
【００２１】
当該下部筐体２内には、主要な回路構成が設けられていると共に、図示しない着脱可能なバッテリとそのバッテリからの電力を各部に供給するための電源系が設けられている。
【００２２】
その他、図１〜図３では図示を省略しているが、本実施形態の携帯電話端末は、開状態と閉状態を検知するための開閉検知用のセンサや、携帯電話端末の姿勢や動きを検出するためのジャイロセンサ、携帯電話端末が動かされた際の加速度を検出する加速度センサ、温度を検出するための温度センサ、湿度を検出するための湿度センサ、光を検出する光センサなどの各種のセンサを備えている。詳細については後述するが、当該携帯電話端末は、上記各種センサからの検出信号に基づいて、後述する筐体開閉駆動部の動作を制御可能となされている。
【００２３】
〔携帯電話端末の回転ヒンジ機構〕
図４には、本実施形態の携帯電話端末の回転ヒンジ機構の概略的な構成を示す。
【００２４】
回転ヒンジ機構は、上部筐体１と下部筐体２を互いに水平方向に回動自在とするための回転軸２２と、上部筐体１と下部筐体２を当該回転軸の軸回り方向に回転させるための筐体開閉駆動部２１とを有している。筐体開閉駆動部２１は、上部筐体１と下部筐体２を当該回転軸の軸回り方向に回転させるための例えばリング状の超音波モータと、回転ヒンジ機構の回転角度つまり上部筐体１と下部筐体２の相対角度を検知するための例えばロータリーエンコーダとを有している。なお、超音波モータとロータリーエンコーダは一例であり、その他のモータ等のアクチュエータと回転角度検出機構であっても良い。当該筐体開閉駆動部２１は、後述する制御部４１による制御の元で、上部筐体１と下部筐体２を当該回転軸の軸回り方向に所定量だけ回転させる。すなわち本実施形態の携帯電話端末においては、回転ヒンジ機構内部に筐体開閉駆動部２１を備え、その筐体開閉駆動部２１が制御部４１の制御の元で駆動制御されることにより、上部筐体１と下部筐体２の自動開閉が可能であると共に、上部筐体１と下部筐体２の相対角度を任意の角度にすることが可能となっている。
【００２５】
〔携帯電話端末の内部回路構成〕
図５には、本実施形態の携帯電話端末の概略的な内部回路構成を示す。
【００２６】
アンテナ４２は、信号電波の送受信を行うための例えば内蔵アンテナであり、図１〜図３のアンテナ格納部１１内に設けられている。通信回路４３は、送受信信号の周波数変換、変調と復調、スペクトラム拡散と逆拡散、送受信されたデータが通話音声データかそれ以外のデータかの弁別等を行う。なお、通話音声データ以外のデータとは、画像データや電子メール、プログラムデータ、その他のデータである。受信された通話音声データは、データラインを介して音声信号処理部４４へ送られる。
【００２７】
音声信号処理部４４は、通話音声データを復号化し、その復号化後の音声データをデータラインを介してスピーカ４８へ送る。スピーカ４８は、前述の図１〜図３のスピーカ４に相当し、ディジタル／アナログ変換器と増幅器を含み、音声データをディジタル／アナログ変換及び増幅した後に出力する。これにより、スピーカ４８からは、通話音声が得られることになる。
【００２８】
マイクロホン４９は、前述の図２のマイクロホン１０に相当し、アナログ／ディジタル変換器と増幅器を含む。このマイクロホン４９を介して入力された通話音声信号は、増幅器により所定のレベルに増幅された後、アナログ／ディジタル変換器によりディジタル音声データに変換され、データラインを介して音声処理部４４へ送られて符号化された後、通信回路４３へ送られる。
【００２９】
表示部４５は、前述したディスプレイ３と、当該ディスプレイ３上に画像等を表示する際の駆動回路とからなる。本実施形態の場合、ディスプレイ３は、例えば液晶表示デバイスからなり、したがって駆動回路は、各液晶セルを駆動するための回路とバックライトを点灯駆動するための回路とからなる。
【００３０】
操作部４６は、前述の１２キー９や通話キー６、終了キー７、ディスク型ジョグダイヤル５等のユーザにより操作される操作デバイスである。各キーやディスク型ジョグダイヤル５等がユーザにより操作された場合、当該操作部４６は、そのユーザ操作に対応した操作信号を生成して制御部４１へ送る。
【００３１】
メモリ４７は、ＲＡＭとＲＯＭを含み、ＲＯＭは、制御部４１が各部を制御するための制御プログラムや各種の初期設定値、当該携帯電話端末の電話番号、フォントデータ、文字入力時における予測変換の候補単語を含む辞書データ、ユーザのスケジュールデータ、その他、メール機能やスケジュール機能を実現するためのアプリケーションプログラムなどの各種のアプリケーション用のプログラムコード、当該携帯電話端末の識別情報（ＩＤ）などを記憶している。このＲＯＭは、ＥＥＰＲＯＭのような書き換え可能なＲＯＭを含み、電子メールデータ、ユーザにより設定される電話帳や電子メールアドレス、ダウンロードされた写真データや着信音データ、予測変換の候補単語の登録データや予測変換の学習データ、圧縮符号化された音楽データ、発着信の履歴データ、その他、各種のユーザ設定値等を保存することも可能となされている。特に、本実施形態の携帯電話端末においては、電話番号や電子メールアドレス毎にユーザが設定した優先度や重要度（以下、まとめて優先度とする）の情報、制御部４１が筐体開閉駆動部２１を駆動制御する際の回転角度や現在の回転角度を示す回転角度情報、電話番号や電子メールアドレスと優先度情報，回転角度情報との対応テーブルなどが、ＲＯＭ内に登録される。ＲＡＭは、制御部４１が各種のデータ処理を行う際の作業領域や圧縮符号化された音楽データの伸張復号化処理中の作業領域として、随時データを格納する。
【００３２】
カメラ部５０は、静止画や動画の撮影を行うための光学レンズや撮像素子等を有している。
【００３３】
時計部５１は、現在の日時情報を生成する。
【００３４】
筐体状態検知部５３は、前述した開閉検知用のセンサ、ジャイロセンサ、加速度センサ、温度センサ、湿度センサ、光センサなどの各種のセンサからなる。
【００３５】
制御部４１は、制御ラインを介して当該携帯電話端末の各構成要素の制御や各種の演算処理、操作部４６からの操作信号に応じた処理や演算を行う。詳細は後述するが、特に本実施形態の場合、制御部４１は、本発明にかかる情報取得手段、配置設定手段、駆動制御手段としての機能をも備えており、例えば、着信があった場合にその着信の種別、着信元の電話番号や電子メールアドレス、ユーザが設定登録した優先度、回転ヒンジ機構の回転角度情報、筐体状態検知部５３からの各種検知信号などに基づいて、筐体開閉駆動部２１の動作を制御することも行う。
【００３６】
その他、図示を省略しているが、本実施形態の携帯電話端末は、他の電子機器と近距離で様々な情報を無線により通信（赤外線通信等も含む）するための近距離無線通信部、携帯電話端末の現在位置を検出するための測位デバイスであるＧＰＳ（Global Positioning System）部などを備えている。
【００３７】
〔制御部による筐体開閉駆動部の制御〕
以下、着信があった場合における着信の種別、着信元の電話番号や電子メールアドレス、優先度、回転角度情報、筐体状態検知部５３からの検知信号に基づいて、制御部４１が筐体開閉駆動部２１の動作を制御する際の流れを、図６のフローチャートを参照しながら説明する。
【００３８】
待ち受け状態のとき、制御部４１は、ステップＳ１の処理として、筐体状態検知部５３の開閉検知用センサからの検知信号に基づいて、当該携帯電話端末が開状態か又は閉状態の何れであるかを検知し、さらに開状態であるときには筐体開閉駆動部２１のロータリーエンコーダからの回転角度情報により、上部筐体１と下部筐体２の相対角度が何れの角度になっているかを検知する。また、制御部４１は、筐体状態検知部５３のジャイロセンサからの検知信号により、携帯電話端末の姿勢を判定すると共に、当該携帯電話端末が空間的に動かされているのか等を判断する。同様に、制御部４１は、筐体状態検知部５３の加速度センサからの検知信号により、当該携帯電話端末が空間的に動かされているの場合の加速度等を検出する。また、制御部４１は、筐体状態検知部５３の温度センサ，湿度センサからの検知信号により温度と湿度を認識し、筐体状態検知部５３の光センサからの検知信号により明るいか否か等を認識し、時計部５１からの日時情報により現在の日時や時刻、昼か夜か、何れの季節かなどを判断する。
【００３９】
さらに、待ち受け状態のとき、制御部４１は、ステップＳ２の処理として、常に着信が有るか否かを監視している。そして、着信を検出すると、制御部４１は、ステップＳ３へ処理を進める。
【００４０】
ステップＳ３の処理に進むと、制御部４１は、その着信が電話の着呼であるか、電子メールの着信であるかの着信種別を判定し、次いで、ステップＳ４の処理として、その着信元の電話番号或いは電子メールアドレスがメモリ４７の電話帳やアドレス帳に登録されているかどうかの着信元検索を行う。そして、制御部４１は、ステップＳ５の処理として、その着信元の電話番号或いは電子メールアドレスについて、優先順位（重要度の順位）を表す優先度が設定されているかを判定する。
【００４１】
次にステップＳ６の処理に進むと、制御部４１は、ステップＳ１にて検知した端末の状態、ステップＳ３にて判定した着信の種別、ステップＳ４にて検索した着信元の電話番号或いは電子メールアドレス、ステップＳ５にて判定した優先度に基づいて、回転ヒンジ機構の回転角度を何れの角度にするか、つまり上部筐体１と下部筐体２の相対角度を何れの角度にするかを設定し、次いで、ステップＳ７にて、上部筐体１と下部筐体２の相対角度がステップＳ６で設定した角度になるように、筐体開閉駆動部２１を駆動制御する。
【００４２】
より具体的に説明すると、例えば、ステップＳ１にて、ジャイロセンサや加速度センサからの検知信号により、携帯電話端末が空間的に動いていないことを検知し、光センサからの検知信号により、当該端末の周囲が明るい状態となっていることを検知した場合、制御部４１は、端末がポケットや鞄に入れられておらず、例えば机等の上に置かれていると判断し、ステップＳ２で着信を検出したときには、当該端末が開くように筐体開閉駆動部２１を駆動制御する。これにより、本実施形態の携帯電話端末は、音や振動によらずにユーザに対して着信があったことを通知することができる。
【００４３】
一方、ステップＳ１にて、ジャイロセンサや加速度センサからの検知信号により、携帯電話端末が空間的に動いていることを検知した場合であっても、光センサからの検知信号により、当該携帯電話端末の周囲が明るい状態となっていることを検知したような場合、制御部４１は、当該端末がポケットや鞄などに入れられた状態ではなく、例えばユーザが車に乗っていて、端末を例えばセンターコンソール等に置いていると判断し、ステップＳ２にて着信を検出したときには、当該端末が開くように筐体開閉駆動部２１を駆動制御する。これにより、本実施形態の携帯電話端末は、車等に乗って移動している場合でも、着信があったことをユーザに通知することが可能となる。
【００４４】
また、ステップＳ１にて、ジャイロセンサや加速度センサからの検知信号により、携帯電話端末が空間的に動かされていることを検知し、光センサからの検知信号により、携帯電話端末の周囲が暗い状態となっていることを検知しているにもかかわらず、時計部５１からの日時情報により昼であることが検知されているような場合、制御部４１は、ユーザが当該携帯電話端末をポケットや鞄に入れた状態で移動していると判断し、ステップＳ２で着信を検出したときでも、筐体開閉駆動部２１を駆動させないか或いは極僅かだけ端末が開くように制御する。これにより、本実施形態の携帯電話端末は、ポケットや鞄に入れた状態で大きく開いてしまうことによる回転ヒンジ機構の破損を防止可能となっている。特に、極僅かだけ端末が開くように制御した場合、回転ヒンジ機構の破損を防止しつつ、当該端末の開き動作によってユーザへ着信があったことを知らせることができることになる。
【００４５】
また、ステップＳ１にて、ジャイロセンサや加速度センサからの検知信号により、携帯電話端末が空間的に動いていないことを検知し、光センサからの検知信号により、当該端末の周囲が明るい状態となっていることを検知した場合であっても、例えば温度センサが体温に近い温度を検出し、湿度センサが或る程度の湿度を検出し、さらに、時計部５１からの日時情報により現在の季節が例えば初夏や真夏、晩夏などのように、一般的に薄着の季節であることを検知しているような場合、制御部４１は、当該端末が例えばワイシャツなどの光を通しやすい素材のポケットに入れられていると判断し、ステップＳ２で着信を検出したときでも、筐体開閉駆動部２１を駆動させないか或いは極僅かだけ端末が開くように制御する。これにより、本実施形態の携帯電話端末は、ポケットに入れた状態で大きく開いてしまうことによる回転ヒンジ機構の破損を防止可能となり、特に、極僅かだけ端末が開くように制御した場合には、当該端末の開き動作によってユーザに着信があったことを知らせることができる。
【００４６】
また、ステップＳ１にて、ジャイロセンサや加速度センサからの検知信号により、携帯電話端末が空間的に動いていないことを検知し、光センサからの検知信号により、当該端末の周囲が明るい状態となっていることを検知した場合であっても、時計部５１からの日時情報とメモリ４７に登録されているスケジュールデータとから現在会議中であることが検知されているような場合、制御部４１は、ステップＳ２で着信を検出したときでも、筐体開閉駆動部２１を駆動させないか或いは極僅かだけ端末が開くように制御する。これにより、本実施形態の携帯電話端末は、会議中などに当該端末が開いてしまうことによる目障りな状態を防止できる。
【００４７】
一方、携帯電話端末が開くように筐体開閉駆動部２１を駆動制御してユーザに着信を知らせるようにする場合、制御部４１は、ステップＳ３にて判定した着信種別が、電話の着呼であるか、電子メールの着信であるかにより、筐体開閉駆動部２１の回転角度を制御することも行っている。すなわち、制御部４１は、着信が電話の着呼であるときには、上部筐体１と下部筐体２の相対角度が例えば３０度のような狭い角度となるように筐体開閉駆動部２１の駆動制御を行い、一方、電子メールの着信であるときには、上部筐体１と下部筐体の相対角度が例えば１８０度（完全に開いた状態）となるように筐体開閉駆動部２１の駆動制御を行う。このように、本実施形態の携帯電話端末は、着信の種類に応じて開き具合を変更するようになされているため、ユーザは、その着信が電話着呼か電子メールの着信の何れであるのかを容易に知ることができる。また、着信が電話の着呼である場合、ユーザは、上記狭い角度で開いている携帯電話端末を手に取ってから直ぐに閉状態となるように上部筐体１又は下部筐体２を回転操作することで、その電話に直ぐに出ることができるようになる。これに対して、電子メールの着信である場合、携帯電話端末は完全に開いた状態となるため、ユーザは、直ぐに下部筐体２の１２キー９等を操作して電子メールの返信文を入力するようなことが可能となる。
【００４８】
また、携帯電話端末が開くように筐体開閉駆動部２１を駆動制御してユーザに着信を知らせるようにする場合、制御部４１は、ステップＳ４にて検索した着信元と、ステップＳ５にて判定した当該着信元について設定されている優先度とに応じて、筐体開閉駆動部２１の回転角度を制御する。すなわち、制御部４１は、例えば着信元が優先度が低く設定されている場合には、当該端末が狭い角度で開くように筐体開閉駆動部２１の駆動制御を行い、一方、着信元の優先度が高く設定されている場合には、当該端末が大きく開く（例えば完全に開いた状態）ように筐体開閉駆動部２１の駆動制御を行う。このように、本実施形態の携帯電話端末は、着信元とその優先度に応じて開き具合を変更するようになされているため、ユーザは、当該端末の開き具合によってその着信元が誰なのか、また着信元が優先すべき人物や重要な人物であるのかを容易に知ることができる。特に、着信元がユーザが在籍する会社の社長や重要な取引先の人であり、それらの人の電話番号や電子メールアドレスの優先度が高く設定されているような場合、当該端末は大きく開くことになるため、ユーザは、その当該端末の開き具合から、優先度の高い人物からの着信であることを容易に知ることができ、したがって、例えば会議中であってもその着信に対して応答することができるようになる。逆に、着信元がさほど重要でない人物であるような場合、当該端末は殆ど開かないことになるため、ユーザは、例えば会議中などにその着信に応答しないでおくことができるようになる。
【００４９】
〔まとめ〕
以上説明したように、本実施形態の携帯電話端末においては、音や振動によらずに着信をユーザに通知することができると同時に、その着信が誰からのものであるかや着信の種別，優先度等の各種の情報を、端末の開き具合により通知することができるため、ユーザにとって、より優しく且つスムーズで直感的にイメージし易く、分かり易いユーザインターフェイスが実現可能となっている。また、本実施形態の携帯電話端末においては、ポケットや鞄に入れられていたり、車のセンターコンソールや机の上に置かれている場合など、当該携帯通信端末の使用状態に応じた着信通知が実現可能となっている。
【００５０】
本実施形態では、端末が開く方向に筐体開閉駆動部２１が駆動制御される例を挙げたが、勿論、制御部４１は、端末が開いている状態から閉じる方向に筐体開閉駆動部２１を駆動制御することや、閉じたり開いたりを連続的に繰り返すように筐体開閉駆動部２１を駆動制御することも可能である。したがって、本実施形態の携帯電話端末は、例えば通話や電子メールの送信が終了したときに端末を自動的に閉じるようなことなどが可能となる。
【００５１】
また、本実施形態の携帯電話端末は、着信時だけでなく、例えば予めスケジュールに登録されている日時に端末を開くようなことも可能であり、さらに、その開き具合もスケジュールの例えば優先度に応じた開き具合やスケジュールの内容に応じた開き具合に設定することができる。すなわちこの例の場合、制御部４１は、メモリ４７に登録（記憶）されているスケジュールデータと時計部５１からの日時情報とを参照し、スケジュールに登録されている所定の日時になったことを検出したときに、筐体開閉駆動部２１を駆動制御することで、端末を開くようなことが可能となる。
【００５２】
また、本実施形態の携帯電話端末は、例えばバッテリーの残容量を端末の開き具合によりユーザに通知することや、携帯電話端末に設定されている音量の状態を端末の開き具合によりユーザに通知することも可能である。すなわちこの例の場合、制御部４１は、バッテリの容量を監視しており、そのバッテリの容量に応じて筐体開閉駆動部２１を駆動制御したり、当該端末に設定されている音量の状態を認識し、当該音量の状態に応じて筐体開閉駆動部２１を駆動制御する。
【００５３】
また、本実施形態の携帯電話端末は、例えば回転ヒンジ機構のロータリーエンコーダから得られる回転角度情報に基づき、携帯電話端末の音量を変更設定したり、着信の許可や拒否を制御するようなことも可能となっている。すなわち例えば、音量設定モードになっている場合などにおいて、制御部４１は、ユーザが当該端末を開く方向に操作したとき、携帯電話端末の音量を大きく設定し、逆に、端末を閉じる方向に操作したとき、音量を小さく設定するような制御を行うことが可能である。また例えば、待ち受け状態で着信があった場合において、制御部４１は、ユーザが端末を開く方向に操作したとき、その着信を許可し、逆に、端末を閉じる方向に操作（或いは完全に閉じるよう操作）したとき、その着信を拒否するような制御を行うことが可能である。
【００５４】
その他、本実施形態では、超音波モータ等により回転ヒンジ機構を駆動する例を挙げているが、例えば回転ヒンジ機構内にバネを設け、手動で端末を閉じた時に当該バネに蓄えられた反発力を用いて端末を開く方向に駆動することも可能である。
【００５５】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００５６】
例えば、本発明は、図１〜図３に示したような回転オープン型の携帯電話端末だけでなく、いわゆる折り畳み型の携帯電話端末にも適用可能であり、また、上部筐体と下部筐体をスライドレールに沿って水平にスライドさせるスライド型の携帯電話端末において、着信に応じて端末を自動的に所定量だけスライドさせるような場合にも適用可能である。
【００５７】
さらに、本発明は、携帯電話端末に限定されず、折り畳み型や回転オープン型、スライド型で且つ通信機能を備えたＰＤＡやノート型パーソナルコンピュータなどの各種携帯通信端末にも適用可能である。
【図面の簡単な説明】
【００５８】
【図１】本発明実施形態の携帯電話端末を開いた状態の外観図である。
【図２】回転ヒンジ機構を中心として上部筐体と下部筐体を９０度回転させたときの本発明実施形態の携帯電話端末の外観図である。
【図３】本発明実施形態の携帯電話端末を閉じた状態の外観図である。
【図４】本実施形態の携帯電話端末の回転ヒンジ機構とその内部に設けられた筐体開閉駆動部の概略的な構成を示す図である。
【図５】本実施形態の携帯電話端末の概略的な内部回路構成を示すブロック図である。
【図６】本実施形態の携帯電話端末に着信があった場合に、制御部が筐体開閉駆動部の動作を制御する際の流れを示すフローチャートである。
【符号の説明】
【００５９】
１  上部筐体、２  下部筐体、３  ディスプレイ、４，４８  スピーカ、５  ディスク型ジョグダイヤル、６  通話キー、７  終了キー、９  １２キー、１０，４９  マイクロホン、１１  アンテナ格納部、２１  筐体開閉駆動部、２２  回転ヒンジ機構の回転軸、４１  制御部、４２  アンテナ、４３  通信回路、４４  音声信号処理部、４５  表示部、４６  操作部、４７  メモリ、５０  カメラ部、５１  時計部、５３  筐体状態検知部
【図１】
2005210516.tif 000003
【図２】
2005210516.tif 000004
【図３】
2005210516.tif 000005
【図４】
2005210516.tif 000006
【図５】
2005210516.tif 000007
【図６】
2005210516.tif 000008